(57)【要約】      （修正有）【課題】猫が排泄の際に足底へ付着させ床に落とす砂で生じるキズや居室壁等の爪とぎによるキズの削減及び防止させることや糞尿物の掃除の際に伴う粉塵の飛散や排泄後の臭を妨げて共同生活での、お互いの環境を良好とさせ又、プライバシー空間を保ち猫自身が落ち着く場所を提供できる愛猫専用の砂を落とす効果のある排泄容器カバーとすること。【解決手段】既存の猫排泄容器を覆う幅及び高さのもので、１部分に出入り口５を設けた透明の立方体等のカバー１ででき、内部に歩行路スペースを持ったもので、その笊目状等の歩行路面は、猫の足底へ付着させた砂を落とす材質として用い又迷路化さした垂直経路で猫本来の特有の習性を利用し狭い箇所や紙箱等の出入り口を用いて好んで抵抗なく入る工夫を持たせ、遊動作及び歩行動作で付着した砂を落とす効果を持つ排泄容器。【選択図】図１
0003112986.tif 000002
【実用新案登録請求の範囲】
【請求項１】
猫専用の排泄容器カバーで、既存の排泄容器全体を覆うもので１部分に出入り口を設けた透明の立方体等のカバーを用いてその内部へ排泄の出入りの際に足底に付く砂を落とすことを目的とする進入出歩行路を設けて猫の排泄に伴う動作に工夫を持たせ、外部への砂の散乱を防ぎ、排泄容器カバーで囲うことで猫のプライバシー空間が保て排便後の臭気を封じ込める効果もあり室内の環境を良好とする愛猫専用の排泄容器カバー。
【考案の詳細な説明】
【技術分野】
【０００１】
本考案は、猫の排泄の出入り５．の際に足底に付く砂を除去する目的で笊状等の進入出歩行路４．を内部に設け１部分に出入り口５．を有す透明の立方体等の容器カバー１．に関するものであり、既存の猫排泄容器全体１３．を覆い内部路面４．は笊状等となり排泄の際に付着する砂を動作で歩き落とす又、上端部は同質蓋２．で換気１０．と掃除を可能とし上端部へは２階部分も重ね増設可能な強度を持つ、なお高さや棚等８．の取り付け位置の移設ができ受け皿９．となる底部分は引き出せ洗浄できることを特徴とする。
【背景技術】
【０００２】
既存の猫専用の排泄容器では排泄後の糞尿埋設の際の散乱防止カバーとなってあるものがある。又、既存の猫砂除去装置に関しては、猫は除去装置を飛び越して別方向から出入りをしていて不要となり効果が乏しい状況である。（例−特許文献１参照）
【特許文献１】特開２００２−３４３８０号公報
【考案の開示】
【考案が解決しようとする課題】
【０００３】
愛猫をペットとする飼い主の悩みとなる排泄の際に猫の出入りに伴う砂の散乱による床面につくキズを防ぐこと又、砂の掃除の手間を削減させることであり、共同生活でのお互いの快適空間とすることが理想であり又、猫自身の落ち着き用をたせる場所を提供でき一石二鳥となる排泄容器カバーを提供する。
【課題を解決するための手段】
【０００４】
既存の猫排泄容器を覆う大きさのもので、１部分に出入り口を設けた透明の立方体のカバー等で、上端部は取り外し可能な蓋とし換気と掃除等を可能とし、受け皿となる底部分は既存の排泄容器より大きく、歩行スペースは笊形状等の歩行路面となり排泄の際に足底に付着する砂を落とす工夫を施す。排泄容器カバーは遊具等を設置できる十分な高さを持たせるなど猫に大切な垂直運動を起こすよう考慮し、ストレスを軽減させ又、棚等の移設の可能な工夫を施し出入り口等も変化を持たせ猫が厭きないように工夫する。
【考案の効果】
【０００５】
排泄ケースが移設棚により設置する位置が高い所へセット可能となり組み立て等に変化が生じて組み替えでき楽しくなる。さらに砂除去装置を内部路へ取り込んだ進入出歩行路カバーとしたことで、従来からの排泄容器の出入り口前へ設置さしていた砂除去装置が不要となり、つまずくこともなくなり、部屋も広くなった。又、出入りが迷路化され猫の習性で抵抗なく出入りが好んであり笊状の遊路歩行面が砂を落とし床への飛散が減りフロアーへのキズの発生を防止できる。
【０００６】
カバー上端が開くため掃除と換気が可能で糞尿物の掃除の際に伴う臭等も防げて共同生活でのお互いの環境も良好とできたことやプライバシー空間を確保でき猫自身の落ち着く場所を提供できる。
【０００７】
排泄容器カバーに十分な高さを持たせ棚板等の位置替えを可能としたことで遊具等を設置でき、特にダンボールでの爪とぎなどは、紙くずも飛散が防止でき減った又ペット用品の場所もとらず調和し収まり部屋隅にコンパクトに設置可能となる。
【考案を実施するための最良の形態】
【０００８】
既存の猫排泄容器１３を覆う立方体等の透明カバーケース１．２内部に進入出歩行路を用いた笊目状等の孔を有す路面経路４を踏み足底の砂を除去さす、基本の路面４へは既存の爪とぎダンボール紙及び遊具３．７を用いて配置し、猫の足底へ付着する砂等を遊びもしくは猫に必要な垂直運動等の動作のきっかけを起こさせケース内部へ砂を落とす工夫を施すもので、実施した結果は確実に効果が出ており外部への散乱が防げている又、排泄容器カバー内部棚８高も工夫さすなど排泄ケース位置を上下可能とさせる。  
【実施例】
【０００９】
立方体等の透明カバー１は、既存の猫排泄容器を覆うもので上端２部分が同質の蓋となり脱着可能で取っ手部分１１で開け閉めさして汚物の清掃や換気孔１０などから新鮮な空気を入れ換え可能とし、砂の充填及び交換を容易とさす。又同上カバーの同質蓋部分２．部分へは、積み重ね増設が可能な強度のものとした透明排泄容器カバーとする。
本体のカバーケース１の一部分へ交換差し込み式の出入り口５を構え、丸い孔が２個並ぶものやダンボール製の筒状の形状又は、吊り戸等の色々なタイプを５部分へ取替え可能とさして、猫が厭きない工夫を施す。
【００１０】
収納引き出し６は、ペット愛猫用品及び猫フードほかグルーミングに関するものを収める収納庫。又上端部は、爪とぎ棒７ほか遊具が設置可能となる。
【００１１】
排泄ケース棚８は、位置が上下でき又は砂落とし効果を兼ねるものとして４の素材を用いる、又棚位置が上下可能であり、歩行路が自由に猫の成長に合わせて変化させられて遊路を拡大できたり迷路を多く作ったりできる。なお本体のカバーケース１と下端部分９は、取り外しが可能で水洗いできる又、皿９部分は引き出しとして引き出せ、歩行動作で落とし溜まった砂の清掃を容易とする。
【００１２】
図４で示す透明のカバーケース１の  内部に既存の猫排泄容器と歩行路を仕切る天井まで届く透明のＬ型の壁を有す単純な壁１２で歩行路面４のみがあり出入り口５部分をカバーケース外部と内部の２箇所に構えた迷路化さしたものであり、内部棚８等は無く、狭い場所設置タイプとして構えたシンプル型でありこのタイプも歩行による動作で砂を落とす。
【産業上の利用可能性】
【００１３】
猫をペットに飼われている愛猫主なら最大の悩みとなる壁や柱の爪とぎキズや猫砂の飛散によるフロアーのキズ又は、数匹飼われている場合は特に回数及び悪化が増大するものとなり大変である。特に糞尿物清掃や排便に伴う粉塵の飛散や臭には、思考錯誤している状態であり、本考案の愛猫専用の排泄容器カバーが床面につくキズや居室壁面の爪とぎによるキズの防止をする効果があり又共同生活でのお互いの環境を良好とし又、プライバシー空間をもたせることで猫自身の落ち着く場所を提供させることを目的とする愛猫専用の排泄容器カバーであり、上端部分から汚れた空気や砂が容易に交換も可能とでき、迷路化させて生じる猫本来の特有の習性を利用した遊動作等の歩行で手足に付着した砂を落とす効果があり、産業上の利用も期待できる。  
【図面の簡単な説明】
【００１４】
【図１】愛猫専用の排泄容器カバー側面図（Ｂ方向）
【図２】同上の排泄容器カバー正面図（Ａ方向）
【図３】同上の排泄容器カバー平面図
【図４】排泄容器カバー平面図
【符号の説明】
【００１５】
１    トーメイ排泄容器カバー
２    同上カバーの同質蓋部分      
３    遊具等
４    網状砂落とし歩行路面部分
５    出入り口（各種出入り口脱着可能）
６    収納部分
７    爪とぎ棒
８    網状砂落とし棚
９    主軸ホルダー部分
１０  換気調整孔
１１  取っ手
１２  天井まで覆うトーメイの仕切り壁
１３  既存排泄器
【図１】
0003112986.tif 000003
【図２】
0003112986.tif 000004
【図３】
0003112986.tif 000005
【図４】
0003112986.tif 000006
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
猫専用の排泄容器カバーで、排泄容器全体を覆うもので一部分に出入り口を設けた透明の立方体等のカバーを用いてその内部へ排泄の出入りの際に足底に着く砂を落とすことを目的とする進入出歩行路を設けて猫の排泄に伴う動作に工夫を持たせ、外部への砂の散乱を防ぎ、排泄容器カバーで囲うことで猫のプライバシー空間が保て排泄後の臭気を封じ込める効果もあり室内の環境を良好とする愛猫専用の排泄容器カバー。
【手続補正２】
【補正対象書類名】明細書
【補正対象項目名】全文
【補正方法】変更
【補正の内容】
【考案の詳細な説明】
【技術分野】
【０００１】
本考案は、猫の排泄の出入り５の際に足底に付く砂を除去する目的で笊状等の進入出歩行路４を内部に設け一部分に出入り口５を有す透明の立方体等の容器カバー１に関するものであり、猫排泄容器全体１３を覆い内部路面４は笊状等となり排泄の際に付着する砂を動作で歩き落とす又、上端部は同質蓋２で換気１０と掃除を可能とし上端部へは２階部分も重ね増設可能な強度を持つ、なお高さや棚等８の取り付け位置の移設ができ受け皿９となる底部分は引き出せ洗浄できることを特徴とする。
【背景技術】
【０００２】
猫専用の排泄容器では排泄後の糞尿埋設の際の散乱防止カバーとなってあるものがある。又、猫砂除去装置に関しては、猫は除去装置を飛び越して別方向から出入りをしていて不要となり効果が乏しい状況である。（例―特許文献１参照）
【特許文献１】特開２００２−３４３８０号公報
【考案の開示】
【考案が解決しようとする課題】
【０００３】
愛猫をペットとする飼い主の悩みとなる排泄の際に猫の出入りに伴う砂の散乱による床面につくキズを防ぐこと又、砂の掃除の手間を削減させることであり、共同生活でのお互いの快適空間とすることが理想であり又、猫自身の落ち着き用をたせる場所を提供でき一石二鳥となる排泄容器カバーを提供する。
【課題を解決するための手段】
【０００４】
猫排泄容器を覆う大きさのもので、一部分に出入り口を設けた透明の立方体のカバー等で、上端部は取り外し可能な蓋とし換気と掃除等を可能とし、受け皿となる底部分は排泄容器より大きく、歩行スペースは笊形状等の歩行路面となり排泄の際に足底に付着する砂を落とす工夫を施す。排泄容器カバーは遊具等を設置できる十分な高さを持たせるなど猫に大切な垂直運動を起こすよう考慮し、ストレスを軽減させ又、棚等の移設可能な工夫を施し出入り口等も変化を持たせ猫が厭きないように工夫する。
【考案の効果】
【０００５】
排泄ケースが移設棚により設置する位置が高い所へセット可能となり組み立て等に変化が生じて組み替えでき楽しくなる。さらに砂除去装置を内部路へ取り込んだ進入出歩行路カバーとしたことで、従来からの排泄容器の出入り口前へ設置さしていた砂除去装置が不要となり、つまずくこともなくなり、部屋も広くなった。又、出入りが迷路化され猫の習性で抵抗なく出入りが好んであり笊状の遊路歩行面が砂を落とし床への飛散が減りフロアーへのキズの発生を防止できる。
【０００６】
カバー上端が開くため掃除と換気が可能で糞尿物の掃除の際に伴う臭等も防げて共同生活でのお互いの環境も良好とできたことやプライバシー空間を確保でき猫自身の落ち着く場所を提供できる。
【０００７】
排泄容器カバーに十分な高さを持たせ棚板等の位置替えを可能としたことで遊具等を設置でき、特にダンボールでの爪とぎなどは、紙くずも飛散が防止でき減った又ペット用品の場所もとらず調和して収まり部屋隅にコンパクトに設置可能となる。
【考案を実施するための最良の形態】
【０００８】
猫排泄容器１３を覆う立方体等の透明カバーケース１．２内部に進入出歩行路を用いた笊目状等の孔を有す路面経路４を踏み足底の砂を除去さす、基本の路面４へは爪とぎダンボール紙及び遊具３．７を用いて配置し、猫の足底へ付着する砂等を遊びもしくは猫に必要な垂直運動等の動作のきっかけを起こさせケース内部へ砂を落とす工夫を施すもので、実施した結果は確実に効果が出ており外部への散乱が防げている又、排泄容器カバー内部棚８高さも工夫さすなど排泄ケース位置を上下可能とさせる。
【実施例】
【０００９】
立方体等の透明カバー１は、猫排泄容器を覆うもので上端２部分が同質の蓋となり脱着可能で取っ手部分１１で開け閉めさして汚物の清掃や換気孔１０などから新鮮な空気を入れ換え可能とし、砂の充填及び交換を容易とさす。又同上カバーの同質蓋部分２部分へは、積み重ね増設が可能な強度のものとした透明排泄容器カバーとする。
【００１０】
本体のカバーケース１の一部分へ交換差し込み式の出入り口５を構え、丸い孔が２個並ぶものやダンボール製の筒状の形状又は、吊り戸等の色々なタイプを５部分へ取替え可能とさして、猫が厭きない工夫を施す。
【００１１】
収納引き出し６は、ペット愛猫用品及び猫フードほかグルーミングに関するものを収める収納庫。又上端部は、爪とぎ棒７ほか遊具が設置可能となる。
【００１２】
排泄ケース棚８は、位置が上下でき又は砂落とし効果を兼ねるものとして４の素材を用いる、又棚位置が上下可能であり、歩行路が自由に猫の成長に合わせて変化させられて遊路を拡大できたり迷路を多く作ったりできる。なお本体のカバーケース１と下端部分９は、取り外しが可能で水洗いできる又、皿９部分は、引き出しとして引き出せ、歩行動作で落とし溜まった砂の清掃を容易とする。
【００１３】
図４で示す透明のカバーケース１の内部に猫排泄容器と歩行路を仕切る天井まで届く透明のＬ型の壁を有す単純な壁１２で歩行路面４のみがあり出入り口５部分をカバーケース外部と内部の２箇所に構えた迷路化さしたものであり、内部棚８等は無く、狭い場所設置タイプとして構えたシンプル型でありこのタイプも歩行による動作で砂を落とす。
【産業上の利用可能性】
【００１４】
猫をペットに飼われている愛猫主なら最大の悩みとなる壁や柱の爪とぎキズや猫砂の飛散によるフロアーのキズ又は、数匹飼われている場合は特に回数及び悪化が増大するものと成り大変である。特に糞尿物清掃や排泄に伴う粉塵の飛散や臭いには、思考錯誤している状態であり、本考案の愛猫専用の排泄容器カバーが床面につくキズや居室壁面の爪とぎによるキズの防止をする効果があり又共同生活でのお互いの環境を良好とし又、プライバシー空間をもたせることで猫自身の落ち着く場所を提供させることを目的とする愛猫専用の排泄容器カバーであり、上端部分から汚れた空気や砂が容易に交換も可能とでき、迷路化さして生じる猫本来の特有の習性を利用した遊動作等の歩行で手足に付着した砂を落とす効果があり、産業上の利用も期待できる。
【図面の簡単な説明】
【００１５】
【図１】愛猫専用の排泄容器カバー側面図（Ｂ方向）
【図２】同上の排泄容器カバー正面図（Ａ方向）
【図３】同上の排泄容器カバー平面図
【図４】排泄容器カバー平面図
【符号の説明】
【００１６】
１    トーメイ排泄容器カバー
２    同上カバーの同質蓋部分
３    遊具等
４    網状砂落とし歩行路面部分
５    出入り口（各種出入り口脱着可能）
６    収納部分
７    爪とぎ棒
８    網状砂落とし棚
９    主軸ホルダー部分
１０  換気調整孔
１１  取っ手
１２  天井まで覆うトーメイの仕切り壁
１３  排泄器